(57)【要約】【課題】使い勝手の良い清掃具を提供する。【解決手段】一端が開放された収納空間３１Ｓを有するケース３と、粘着テープロールＲを回転可能に支持した状態で前記ケース３の前記収納空間３１Ｓに収納できる清掃具本体２と、を備え、前記ケース３は、前記清掃具本体２を収納状態で傾斜するように支持し、この支持が、当該ケースの正面側内面３１Ｆの延びる方向の軸線Ｌ３と、前記清掃具本体２のうち前記粘着テープロールＲを支持するロール支持部２２における軸線Ｌ２との間が、前記収納空間３１Ｓにおける奥側が広く開放側が狭くなるように傾いてなされるような清掃具本体支持部３３を備える清掃具１である。【選択図】図２
2018175017.tif 000002
【特許請求の範囲】
【請求項１】
一端が開放された収納空間を有するケースと、
粘着テープロールを回転可能に支持した状態で前記ケースの前記収納空間に収納できる清掃具本体と、を備え、
前記ケースは、前記清掃具本体を収納状態で傾斜するように支持し、この支持が、当該ケースの正面側内面の延びる方向の軸線と、前記清掃具本体のうち前記粘着テープロールを支持するロール支持部における軸線との間が、前記収納空間における奥側が広く開放側が狭くなるように傾いてなされるような清掃具本体支持部を備える清掃具。
【請求項２】
前記ケースは、取付対象物に対して取り付けることのできる取付部を背面側に備え、
前記取付部が取付対象物に取り付けられた状態において、前記清掃具本体支持部による支持は、前記清掃具本体の基部が先端部よりも前記ケースの正面側に位置するように傾斜してなされる、請求項１に記載の清掃具。
【請求項３】
前記ケースの正面側内面の延びる方向の軸線と、前記ロール支持部における軸線とのなす角度が１度〜７度である、請求項１または２に記載の清掃具。
【請求項４】
前記ケースの正面側内面の延びる方向の軸線と、前記ロール支持部における軸線とのなす角度が１度〜４度である、請求項１または２に記載の清掃具。
【請求項５】
前記清掃具本体支持部は前記ケースの底部に設けられ、前記ロール支持部の先端が少なくとも正面及び背面方向に移動することを規制する、請求項１〜４のいずれかに記載の清掃具。
【請求項６】
前記清掃具本体支持部は、前記ケースに前記清掃具本体を収納する際、前記清掃具本体の一部に傾斜して当接することにより、前記清掃具本体を支持位置へ誘導する、請求項５に記載の清掃具。
【請求項７】
前記清掃具本体支持部は、前記ケースの底部に設けられ湾曲した内面を有する凹部である、請求項６に記載の清掃具。
【請求項８】
前記ロール支持部は、先端に前記凹部に当接する突起を備える、請求項７に記載の清掃具。
【請求項９】
前記凹部は略中央に貫通孔を有し、
前記突起は、前記収納状態で前記貫通孔に入り込む、請求項８に記載の清掃具。
【請求項１０】
前記ケースの正面側内面には、前記粘着テープロールに当接するロール当接突起が形成されている、請求項１〜９のいずれかに記載の清掃具。
【発明の詳細な説明】
【技術分野】
【０００１】
本発明は、粘着テープの粘着力を利用して清掃対象物表面の塵埃等を除去できる清掃具に関するものである。
【背景技術】
【０００２】
この清掃具は基本的に、粘着テープロールを回転可能に支持しており、粘着テープロールの外周に露出している粘着面を被清掃面に対して転がすことにより、被清掃面上の塵芥を除去できるよう構成されている。従来、この種の清掃具として種々の形態のものが存在している。例えば特許文献１に記載の「粘着式クリーナー」がある。この特許文献１に記載の清掃具は、ハンドルの後端部を壁等から突出したフックに引っ掛けることができる。
【先行技術文献】
【特許文献】
【０００３】
【特許文献１】特開２００２−３１５７１８号公報
【発明の概要】
【発明が解決しようとする課題】
【０００４】
ところで本願の出願人は、この種の清掃具を更に普及させるため、例えば家庭の玄関に清掃具を常備しておき、家族が外出する際や帰宅した際等にこまめに清掃具を使用することで、アレルギー物質（花粉等）を家庭内に持ち込ませない等、快適な環境作りに貢献させることを提案している。
【０００５】
しかし、例えば特許文献１に記載の清掃具では、前述のように壁等に掛けることができるものの、粘着テープロールが露出したままであるため見栄えが良くない。また、清掃具を使用する際にフックから取り外したり、使用した後にフックに再度引っ掛けたりすることは、特に子供や高齢者にとっては細かい作業になることから難しい場合もある。このように従来の清掃具は、本願の出願人による前記提案に対し、特に使い勝手の点で最適に応えられてはいなかった。
【０００６】
そこで本発明は、使い勝手の良い清掃具を提供することを課題とする。
【課題を解決するための手段】
【０００７】
本発明は、一端が開放された収納空間を有するケースと、粘着テープロールを回転可能に支持した状態で前記ケースの前記収納空間に収納できる清掃具本体と、を備え、前記ケースは、前記清掃具本体を収納状態で傾斜するように支持し、この支持が、当該ケースの正面側内面の延びる方向の軸線と、前記清掃具本体のうち前記粘着テープロールを支持するロール支持部における軸線との間が、前記収納空間における奥側が広く開放側が狭くなるように傾いてなされるような清掃具本体支持部を備える清掃具である。
【０００８】
この態様によると、ケースによる清掃具本体の支持は、ケースの収納空間における奥側が広く開放側が狭くなるような傾斜姿勢となる。このため、粘着テープロールとケースの正面側内面との密着を避けることができる。
【０００９】
また、前記ケースは、取付対象物に対して取り付けることのできる取付部を背面側に備え、前記取付部が取付対象物に取り付けられた状態において、前記清掃具本体支持部による支持は、前記清掃具本体の基部が先端部よりも前記ケースの正面側に位置するように傾斜してなされることができる。
【００１０】
この態様によると、清掃具本体が正面側に傾斜するようにケースに収納される。このため、ユーザーが清掃具本体を取りやすい。
【００１１】
また、前記ケースの正面側内面の延びる方向の軸線と、前記ロール支持部における軸線とのなす角度が１度〜７度であるようにできる。
【００１２】
また、前記ケースの正面側内面の延びる方向の軸線と、前記ロール支持部における軸線とのなす角度が１度〜４度であるようにできる。
【００１３】
これらの態様によると、各角度設定によって、ケースからの清掃具本体の取り出しがより簡単にできる。
【００１４】
また、前記清掃具本体支持部は前記ケースの底部に設けられ、前記ロール支持部の先端が少なくとも正面及び背面方向に移動することを規制することができる。
【００１５】
この態様によると、清掃具本体支持部はロール支持部の先端が正面及び背面方向に移動することを規制する。このため、清掃具本体の支持角度が確実に保たれる。
【００１６】
また、前記清掃具本体支持部は、前記ケースに前記清掃具本体を収納する際、前記清掃具本体の一部に傾斜して当接することにより、前記清掃具本体を支持位置へ誘導することができる。
【００１７】
この態様によると、清掃具本体支持部が清掃具本体の一部に傾斜して当接することで、清掃具本体に、支持位置へと移動する力を生じさせることができる。
【００１８】
また、前記清掃具本体支持部は、前記ケースの底部に設けられ湾曲した内面を有する凹部であることができる。
【００１９】
この態様によると、清掃具本体を収納しようとする際、ロール支持部の先端が凹部に当接することで前記誘導がなされる。
【００２０】
また、前記ロール支持部は、先端に前記凹部に当接する突起を備えることができる。
【００２１】
この態様によると、ロール支持部の突起が凹部に当接することにより前記誘導がよりスムーズにできる。
【００２２】
また、前記凹部は略中央に貫通孔を有し、前記突起は、前記収納状態で前記貫通孔に入り込むようにできる。
【００２３】
この態様によると、清掃具本体の安定的な支持がなされる。
【００２４】
また、前記ケースの正面側内面には、前記粘着テープロールに当接するロール当接突起が形成されていることができる。
【００２５】
この態様によると、収納状態で、粘着テープロールにはロール当接突起が当接する。このため、粘着テープロールの粘着力により清掃具本体の取り出しが邪魔されにくい。
【発明の効果】
【００２６】
本発明によると、粘着テープロールとケースの正面側内面との密着を避けることができる。このため、ユーザーがケースから清掃具本体を取り出しやすい。よって、使い勝手の良い清掃具を提供できる。
【図面の簡単な説明】
【００２７】
【図１】本発明の一実施形態に係る清掃具（収納状態）を示す斜視図である。
【図２】前記清掃具（収納状態）を示す、ケースを縦断面表示した図である。
【図３】本発明の一実施形態に係る清掃具本体を示す斜視図である。
【図４】前記清掃具本体を示す正面図である。
【図５】前記清掃具本体を示す平面図である。
【図６】前記清掃具本体を示す底面図である。
【図７】前記清掃具本体を示す右側面図である。
【図８】前記清掃具本体を示す左側面図である。
【図９】本発明の一実施形態に係るケースを示す斜視図である。
【図１０】本発明の一実施形態に係るケースを示す左側面図である。
【図１１】前記ケースを示す平面図（正面側を右方に図示）である。
【図１２】前記ケースを示す底面図（正面側を右方に図示）である。
【図１３】前記ケースを示す正面図である。
【図１４】前記ケースを示す背面図である。
【図１５】前記ケースを示す、図１３のＡ−Ａ矢視における拡大端面図である。
【図１６】本発明の一実施形態に係る取付部を示し、（Ａ）は正面側の斜視図、（Ｂ）は背面側の斜視図である。
【図１７】本発明の変形実施形態に係る清掃具（収納状態）を示す、ケースを縦断面表示した図である。
【図１８】本発明の変形実施形態に係る清掃具本体を示す斜視図である。
【図１９】前記清掃具本体を示す正面図である。
【図２０】前記清掃具本体を示す平面図である。
【図２１】前記清掃具本体を示す右側面図である。
【図２２】前記清掃具本体を示す左側面図である。
【図２３】本発明の変形実施形態に係るケースを示す平面図（正面側を右方に図示）である。
【図２４】前記ケースを示す底面図（正面側を右方に図示）である。
【図２５】前記ケースを示す背面図である。
【図２６】前記ケースを示す、図２３のＢ−Ｂ矢視における拡大端面図である。
【発明を実施するための形態】
【００２８】
次に本発明につき、一実施形態を取り上げて説明を行う。本実施形態の清掃具１は、円筒状である粘着テープロールＲ（図２に二点鎖線で示す）を備えた清掃具本体２と清掃具本体２を収納するケース３とが組み合わされたものであって、収納状態の外観は図１に示されたようになる。なお以下では、ケース３を取付対象物Ｗである垂直面（壁面等）に取り付け、清掃具本体２をケース３の上方から出し入れできるようにした状態について説明を行う。ただし、ケース３の取付対象物Ｗへの取り付け状態はこれに限定されるものではない。
【００２９】
清掃具本体２は、単体では図３〜図８に示すものであって、基端側にハンドル２１、先端側にロール支持部２２を一体に備える。なお、背面図は正面図（図４）と対称であることから添付していない。ハンドル２１は、清掃具本体２の使用の際、ユーザーの手に掴まれる部分である。ロール支持部２２は、粘着テープロールＲを回転可能に支持する部分であって、横断面形状が十字形とされている。ロール支持部２２は、表面に突条２２１が形成されており、粘着テープロールＲの内面に略線接触する。この突条２２１は、軸方向に延びる前記十字形部分と、軸方向に間欠的に設けられた円板板部分のそれぞれ外縁部からなる。この突条２２１により、粘着テープロールＲの内周面との接触面積を小さくできるため、清掃具本体２の使用時に、粘着テープロールＲを軽く回転させることができる。ロール支持部２２の先端には、半円形板状の突起２２２（後述）が形成されている。この突起２２２は、平面視においても側面視においても、端縁形状が角のない湾曲形状とされている。突起２２２の基部には、径方向に延びる半円状のストッパー２２３が形成されている。このストッパー２２３に粘着テープロールＲが当接することで、ロール支持部２２から粘着テープロールＲが脱落してしまうことが防止されている。
【００３０】
ケース３は、単体では図９〜図１５に示すものであって、基端側にハンドル２１、先端側にロール支持部２２を一体に備える。なお、右側面図は左側面図（図１０）と対称であることから添付していない。このケース３は、外形の横断面形状が略Ｄ形であって、左右側面は平面で、正面（前面）は凸状の湾曲面であり、背面（後面）は、外縁部の一部が同一平面上にあるような形状（なお背面（後面）側には、後述の取付部３２を形成するための凹凸が形成されている）とされている。本実施形態では、前記湾曲面の曲率は上下で一定とされている。また、ケース３の縦断面形状は下すぼみの台形とされている。
【００３１】
このケース３は、清掃具本体２のロール支持部２２を収納するための収納部３１を備える。収納部３１は、一端が開放された収納空間３１Ｓを有する。収納部３１の内面の横断面形状は、長径方向が前後方向である長円形とされている。この長円形状は、ケース３の正面と側面のうち前方とにおいて、ケース３の外形の形状を所定比率で縮小した形状である。また、収納部３１の縦断面形状は、ケース３の外形と同じく、下すぼみの台形とされている。収納部３１の底部（下部）には清掃具本体支持部（後述）が形成されている。
【００３２】
ケース３を取付対象物Ｗである垂直面（壁面等）に取り付けた状態では、収納空間３１Ｓの上端が開放された開放端となっている。清掃具本体２は、粘着テープロールＲを回転可能に支持した状態でケース３の収納空間３１Ｓに収納される。清掃具本体２はケース３の収納空間３１Ｓの開放端から出し入れできる。
【００３３】
ここで、清掃具本体２をケース３に収納する際、ユーザーは清掃具本体２を収納部３１（収納空間３１Ｓ）にただ投入すればよく、従来においてハンドルの一部をフックに引っ掛ける場合のような、特に子供や高齢者にとって細かいと思われる作業が不要である。また、収納状態で、清掃具本体２は収納部３１に対して嵌合等の固着状態にはないので、ユーザーはハンドル２１を掴むだけで、ケース３から清掃具本体２を取り出し可能である。このように出し入れ容易であることから、本願の出願人が提案している、例えば家庭の玄関に清掃具１を常備しておき、家族が外出する際や帰宅した際等にこまめに清掃具１を使用するような使用法に、本実施形態の清掃具１は最適である。
【００３４】
ケース３は、図２に示すように、取付対象物Ｗに対して取り付けることのできる取付部３２を背面側に備える。取付部３２は、例えば両面テープ、吸盤、永久磁石等の、取付対象物Ｗに対して接着力または吸着力を生じる手段を備えることができる。また取付部３２は、ビス等の締結手段を通すことのできる貫通孔としたり、取付対象物Ｗに引っ掛けられるフック等の突起としたりできる。このように、取付部３２の形態は限定されず、種々の形態とできる。
【００３５】
本実施形態の取付部３２は、図１６（Ａ）（Ｂ）に示す箱状とされている。この取付部３２は、ケース３の背面側に設けられたフック３５に取り付け可能な孔部３２１を備え、取付部背面３２２には両面テープを備えさせることができる。
【００３６】
また、異なる取付手段による複数の取付部３２をケース３の背面側に対して適宜交換可能に設けることもできる。このようにすることで、例えば鋼材等の磁性体からなる取付対象物Ｗ、樹脂等の非磁性体からなる取付対象物Ｗ、また、凹凸を有する取付対象物Ｗのそれぞれに対して柔軟に対応し、確実にケース３を取り付けることができる。
【００３７】
また、ケース３は清掃具本体支持部３３を備える。本実施形態の清掃具本体支持部３３は、ケース３の底部に設けられる。
【００３８】
ケース３は、清掃具本体２を収納状態で傾斜するように支持する。本実施形態では、清掃具本体２のハンドル２１が下方、ロール支持部２２が上方に位置する姿勢でケース３に支持される。取付部３２が取付対象物Ｗに取り付けられた状態において、清掃具本体支持部３３による清掃具本体２の支持は、清掃具本体２の基部が先端部よりもケース３の正面側に位置するように傾斜してなされる。すなわち、ケース３の正面側から見ると清掃具本体２が前傾するように支持される。このように清掃具本体２が前傾姿勢でケース３に収納されるので、ユーザーがハンドル２１を掴みやすいため、清掃具本体２を取りやすい。
【００３９】
清掃具本体２の支持は、ケース３の正面側内面の延びる方向（斜め上方向）の軸線Ｌ３と、清掃具本体２の少なくともロール支持部２２における軸線Ｌ２との間が、下側（ケース３の収納空間３１Ｓにおける奥側）が広く上側（収納空間３１Ｓにおける開放側）が狭くなるように傾いてなされる。このように、清掃具本体２の支持の姿勢が傾斜姿勢であって、かつ、下側が広く上側が狭くなるように傾いてなされることにより、上側では粘着テープロールＲにおける粘着面Ｒａがケース３の正面側内面に当接しても、下側では粘着テープロールＲとケース３の正面側内面との間に空間Ｓを設けることができる。つまり、粘着テープロールＲにおいて外周に露出している粘着面Ｒａの粘着力はケース３の上部にのみ及ぶことになる。このため、粘着テープロールＲとケース３の正面側内面との全面的な（上から下までの）密着を避けることができる。従って、粘着面Ｒａの粘着力が清掃具本体２のケース３からの取り出しを阻害する程には強く働かないから、清掃具本体２をケース３から取り出すに当たり、ユーザーに不便な思いや違和感を生じさせない。
【００４０】
なお、収納部３１における正面側内面３１Ｆには、粘着テープロールＲに当接するロール当接突起３４が収納空間３１Ｓに突出するように形成されている。このロール当接突起３４は、本実施形態では上下方向に延びる複数本のリブとして形成されている。このため収納状態で、粘着テープロールＲにはロール当接突起３４が当接する。このため、収納部３１と粘着テープロールＲとは全面的な当接ではなく部分的な当接となることから、粘着力により清掃具本体２の取り出しが邪魔されにくい。なお、ロール当接突起３４は本発明において必須ではなく、形成しないこともできる。
【００４１】
また、ケース３の正面側内面３１Ｆの延びる方向の軸線Ｌ３と、ロール支持部２２における軸線Ｌ２とのなす角度θは１度〜７度、好ましくは１度〜４度である。このように両軸線Ｌ２，Ｌ３に関して角度設定することで、他の角度に設定した場合に比べると、ユーザーがハンドル２１を掴みやすい。このため、ケース３からの清掃具本体２の取り出しがより簡単にできる。なお、前記角度θの設定を崩さないため、ロール当接突起３４の収納空間３１Ｓへの突出端の延びる方向はケース３の正面側内面３１Ｆの延びる方向と平行に設定されている。本実施形態におけるロール当接突起３４の上端部は、図２に示すように、正面側内面３１Ｆに順次近づくアール形状とされており、特にケース３に清掃具本体２を収納する際に、清掃具本体２がロール当接突起３４の上端部に引っ掛かりにくい。
【００４２】
このロール当接突起３４の収納空間３１Ｓへの突出端の延びる方向に関しては、本実施形態における平行以外に、下方に向かうにつれ正面側内面３１Ｆからの突出量が小さくなるように設定することもできる。この場合、前記角度θの設定を崩さないようにでき、かつ、前述のように、上側では粘着テープロールＲにおける粘着面Ｒａがケース３の正面側内面に当接しても、下側では粘着テープロールＲとケース３の正面側内面との間に空間Ｓを設けることができる関係を確実に実現できる。
【００４３】
また、それとは逆に、ロール当接突起３４の収納空間３１Ｓへの突出端の延びる方向に関し、下方に向かうにつれ正面側内面３１Ｆからの突出量が大きくなるように設定することもできる。この場合、ロール当接突起３４の収納空間３１Ｓに面する端縁が直線状であった場合、収納部３１と粘着テープロールＲとは全面的な当接になるため、この点での優位性は小さくなる。その一方で、全面的な当接であるがゆえに、清掃具本体２の収納状態が安定するとの利点を発揮できる。
【００４４】
次に、ケース３に備えられた清掃具本体支持部３３について説明する。この清掃具本体支持部３３は、ロール支持部２２の先端が少なくとも正面及び背面方向に移動することを規制する。この清掃具本体支持部３３により、収納状態で清掃具本体支持部３３の支持角度が保たれる。
【００４５】
また、この清掃具本体支持部３３は、ケース３に清掃具本体２を収納する際、清掃具本体２の一部に傾斜して当接することにより、清掃具本体２を安定的な収納状態に対応する支持位置へ誘導する。この誘導は、清掃具本体２にかかる重力によりなされる。なお、「傾斜した当接」とは、清掃具本体２におけるロール支持部２２の軸線方向と清掃具本体支持部３３における当接面（当接面が湾曲面である場合は当接点における仮想の接平面）とが傾斜した状態であることをいう。この傾斜した当接により、清掃具本体２に、支持位置へ移動する力を生じさせることができる。
【００４６】
この誘導は、前記清掃具本体支持部３３に加え、収納部３１の横断面形状が長円形であることによっても奏される。つまり、長円形の短径方向では、粘着テープロールＲの外径に比べて寸法の余裕が少ないから、ロール支持部２２の移動が規制される。そして、長円形の長径方向では、収納空間３１Ｓが上方では正面側に広がっており、下方に向かうにつれ狭まっていく下すぼみ形状である。このような収納部３１の長径方向における形状の変化によっても、清掃具本体２の前傾が促されることから、収納状態への誘導が確実になされる。
【００４７】
本実施形態における清掃具本体支持部３３は、ケース３の底部に設けられ湾曲した内面３３１を有する凹部である。ケース３に清掃具本体２を収納しようとする際、ロール支持部２２の先端が凹部の内面３３１に当接することにより、この先端が凹部における最も低い部分へ誘導される。更に、ロール支持部２２は先端に突起２２２を備えており、この突起２２２が清掃具本体支持部３３の凹部（内面３３１）に当接する。この突起２２２と内面３３１を有する凹部との組み合わせにより、清掃具本体２を支持位置へ誘導することがよりスムーズにされる。しかも、本実施形態の突起２２２は半円形であることから、突起２２２と凹部との当接が安定してなされる。このため、前記誘導が更にスムーズにされる。
【００４８】
更に本実施形態の凹部は、略中央であって最も低い部分に貫通孔３３２を有する。ロール支持部２２の半円形板状である突起２２２は、径寸法が貫通孔の直径よりも小さく形成されているため、収納状態でこの貫通孔に入り込む。このため前述した、ロール支持部２２の先端が少なくとも正面及び背面方向に移動することの規制が確実になされる。よって、清掃具本体２の安定的な支持がなされる。
【００４９】
以上、本発明の一実施形態について説明したが、本発明は前記実施形態に限定されるものではなく、本発明の要旨を逸脱しない範囲内において種々の変更を加えることができる。
【００５０】
例えば、清掃具本体２及びケース３の形状は、前記実施形態の形状に限定されず、種々に変更できる。
【００５１】
また、ケース３を前記実施形態のように壁面等の垂直面に取り付けるほか、ケース３の底部を例えば下駄箱の天面に取り付けて使用することもできる。なお、取り付けを行わず、ケース３を取付対象物Ｗの上面に単に置くだけであってもよい。また、ケース３を天井面等の下向きの面や、他方向を向いた面に取り付けることもできる。要は、取付対象物Ｗの面に対し、清掃具本体２を傾斜姿勢とできるようにケース３の取り付けがなされればよい。
【００５２】
また、前記実施形態では、収納部３１の内面の横断面形状につき、長径方向が前後方向である長円形としたが、収納部３１の形状はこれに限定されず、例えば真円、楕円形、多角形等の種々の形状とすることができる。また、前記実施形態では、収納部３１の前記長円形状は、ケース３の正面と側面のうち前方とにおいて、ケース３の外形の形状を所定比率で縮小した形状とされていたが、これに限定されず、例えばケース３の外形の形状と無関係の形状とすることができる。
【００５３】
また、前記実施形態では、図２等に示すように、ケース３に設けられた清掃具本体支持部３３としての凹部と、清掃具本体２に設けられた凸部である突起２２２との組み合わせについて説明した。しかし、「凹凸」の関係は逆であってもよい。つまり、図１７〜図２６にそれぞれ示す形状のように、清掃具本体２に凹部（突起受容部２２５）が設けられ、ケース３に凸部（突起部３３３）を設けることによっても、前記実施形態と同様、清掃具本体２を支持位置へ誘導するように構成できる。
【００５４】
なお、清掃具本体２の背面図は正面図（図１９）と対称、底面図は平面図（図２０）と対称であることから添付していない。また、ケース３の左側面図は図１０と同一内容、正面図は図１３と同一内容、右側面図は左側面図（図１０）と対称であることから添付していない。また、図１７〜図２４において、前記実施形態と共通する部分には同一の符号を付している。
【００５５】
具体的に、本変形実施形態における清掃具本体支持部３３は、ケース３の底部における凹部であって、略中央から収納空間３１Ｓの開放端の方向（上方）へと突出した突起部３３３を有する。本変形実施形態の突起部３３３は円錐状とされているが、これに限らず、例えば半球状や多角錐状等、種々の形状の突起とできる。
【００５６】
一方、清掃具本体２は、先端にストッパー２２４，２２４が径方向対称に形成されている。そして、これらストッパー２２４，２２４の間の空間を有する部分が突起受容部２２５となる。
【００５７】
前記実施形態と同様、本変形実施形態においても、清掃具本体支持部３３は、ケース３に清掃具本体２を収納する際、清掃具本体２の一部に傾斜して当接することにより、清掃具本体２を安定的な収納状態に対応する支持位置へ誘導する。この誘導は、ロール支持部２２の先端部（ストッパー２２４）が、突起部３３３の斜面状の側面に当接することにより、この先端部が突起部３３３における下方へ誘導され、図１７に示すように、突起受容部２２５に突起部３３３が受容された状態で安定的な状態となる。
【００５８】
このように、清掃具本体２及びケース３において、ケース３に清掃具本体２を収納する際に清掃具本体２を誘導することに寄与する部分の形状は、種々に変更し得る。
【００５９】
また、清掃具本体支持部３３としての凹部は、前記実施形態では湾曲した内面３３１を有するものであったが、内面の形状はこれに限定されず、平らな内面（傾斜面）とすることもできる。
【００６０】
また、前記実施形態のロール当接突起３４は上下方向に連続するリブであったが、これに限定されず、例えば、間欠的な突起や、水平方向に延びるリブとすることもでき、種々の形態とできる。
【符号の説明】
【００６１】
１          清掃具
２          清掃具本体
２１        ハンドル
２２        ロール支持部
２２２      突起
３          ケース
３１        収納部
３１Ｓ      収納空間
３１Ｆ      収納部の正面側内面
３２        取付部
３３        清掃具本体支持部
３３２      貫通孔
３４        ロール当接突起
Ｒ          粘着テープロール
Ｗ          取付対象物
Ｌ２        清掃具本体のロール支持部における軸線
Ｌ３        ケースの正面側内面の延びる方向の軸線
θ          両軸線のなす角度
【図１】
2018175017.tif 000003
【図２】
2018175017.tif 000004
【図３】
2018175017.tif 000005
【図４】
2018175017.tif 000006
【図５】
2018175017.tif 000007
【図６】
2018175017.tif 000008
【図７】
2018175017.tif 000009
【図８】
2018175017.tif 000010
【図９】
2018175017.tif 000011
【図１０】
2018175017.tif 000012
【図１１】
2018175017.tif 000013
【図１２】
2018175017.tif 000014
【図１３】
2018175017.tif 000015
【図１４】
2018175017.tif 000016
【図１５】
2018175017.tif 000017
【図１６】
2018175017.tif 000018
【図１７】
2018175017.tif 000019
【図１８】
2018175017.tif 000020
【図１９】
2018175017.tif 000021
【図２０】
2018175017.tif 000022
【図２１】
2018175017.tif 000023
【図２２】
2018175017.tif 000024
【図２３】
2018175017.tif 000025
【図２４】
2018175017.tif 000026
【図２５】
2018175017.tif 000027
【図２６】
2018175017.tif 000028